(57)【要約】【課題】  部品数を増やすことなく、簡単な構成で汚れの付着を抑制可能な非接触温度検出装置を提供する【解決手段】  非接触温度検出装置２３は、赤外線感温式の非接触サーミスタ２４ａと、サーミスタ２４ａの周囲を覆って設けられた透明なケーシング２４ｂと、ケーシング２４ｂの外表面においてサーミスタ２４ａに赤外線が入射してくる部分に設けられた赤外線吸収フィルム２４ｃと、赤外線吸収フィルム２４ｃの表面に形成され光触媒機能を有する酸化チタンのコーティング膜２４ｄとを有している。赤外線吸収フィルム２４ｃに形成された酸化チタンのコーティング膜２４ｄに紫外線ダイオード２６から発せられた紫外線が照射し、光触媒機能によりコーティング膜２４ｄに付着したトナーなどを除去する。【選択図】      図２
2006098067.tif 000002
【特許請求の範囲】
【請求項１】
加熱源を内蔵する加熱ローラと前記加熱ローラに圧接する加圧ローラとを有する定着装置の非接触温度検出装置であって、
非接触型の温度検出センサーと、
前記非接触型の温度検出センサーに熱を伝導する熱吸収膜と、
前記熱吸収膜の表面に形成された光触媒機能を有するコーティング膜と、
前記コーティング膜に紫外線を照射するための紫外線光源と、
を備えた定着装置の非接触温度検出装置。
【請求項２】
前記非接触型の温度検出センサーを保持するセンサー保持部材と、
前記センサー保持部材が温度検出位置と清掃位置とを取りうるように前記センサー保持部材を駆動する駆動機構と、
前記清掃位置に位置する前記温度検出センサーの表面を清掃する清掃パッドをさらに備えている、
請求項１に記載の定着装置の非接触温度検出装置。
【請求項３】
前記駆動機構は、前記回転軸の端部に固定されたギヤーと、前記ギヤーを回転させるためのステッピングモータとを有している、
請求項２に記載の定着装置の非接触温度検出装置。
【請求項４】
前記非接触型の温度検出センサーは赤外線感温センサーであり、前記熱吸収膜は赤外線吸収膜である、請求項１または２に記載の定着装置の非接触温度検出装置。
【請求項５】
前記光触媒機能を有する材料は酸化チタンである、請求項１から４に記載の定着装置の非接触温度検出装置。
【請求項６】
前記紫外線光源は紫外線発光ダイオード（ＬＥＤ）である、請求項１から５のいずれかに記載の定着装置の非接触温度検出装置。
【請求項７】
加熱源を内蔵する加熱ローラと前記加熱ローラに圧接する加圧ローラとを有する定着装置の非接触温度検出装置であって、
透過窓を有する収納ケースと、
前記ケースに収納された非接触型の温度検出センサーと、
前記ケースの透過窓の内側に設けられ、非接触型の温度検出センサーに熱を伝導する熱吸収膜と、
前記収納ケースの少なくとも透過窓部に形成された光触媒機能を有するコーティング膜と、
前記コーティング膜に紫外線を照射する紫外線光源と、
を備えた定着装置の非接触温度検出装置。
【発明の詳細な説明】
【技術分野】
【０００１】
本発明は、画像形成装置の定着装置の温度検出装置、特に、加熱源を内蔵する加熱ローラと加熱ローラに圧接する加圧ローラとを有する定着装置の非接触温度検出装置に関する。
【背景技術】
【０００２】
複写機やプリンタ等の画像形成装置には、複数色のトナーを重ね合わせて転写材上にカラー画像を形成するものが存在する。例えば、フルカラー複写機は、原稿画像を読み取る画像読取部と、読み取った原稿画像をシアン、マゼンダ、イエロー、ブラックの４つの色成分に分解する画像処理部とを有している。そして、各色成分毎の静電潜像が露光手段によって感光体ドラム周面に形成され、感光体ドラム上に形成された静電潜像は４つの現像装置によって対応する色に現像化される。感光体ドラム上に形成されたトナー画像は、中間転写体上に順次転写されて積層されたカラートナー画像が形成される。この中間転写体上に転写されたカラートナー画像は転写材上に転写され、定着装置に搬送される。定着装置には、ヒータを内蔵する加熱ローラと加熱ローラに圧接する加圧ローラとが設けられている。トナー画像が形成された転写材は、加熱ローラと加圧ローラとの圧接部で挟持搬送され、加熱ローラからの熱及び加圧ローラからの圧力によって転写材上のカラートナー画像が加熱され溶融定着される。
【０００３】
このような定着装置においては、加熱ローラの表面温度が定着に適した温度範囲に維持されるよう、加熱源たとえばヒータランプの通電を制御する温度制御機構が設けられている。ここで、加熱ローラの表面温度を検出するため、加熱ローラ及び加圧ローラの少なくとも一方のローラの表面温度を検出する温度検出手段が備えられている。従来、温度検出手段として、温度検出素子などを被検出体である加熱ローラの表面に直接取り付けた接触式の温度検出手段が提案されている（たとえば、特許文献１）。このような温度検出手段が上記ローラに接触していると、定着枚数が増えるにしたがって上記ローラの表面に摺擦傷が発生して画像品位が悪くなるという問題がある。
【０００４】
そこで、温度検出素子をローラに対して接触させることなく温度検出を行うようにすることが提案されている。この非接触型の温度検出手段は、例えば、ローラに対向して配置された赤外線吸収部材と、この赤外線吸収部材の温度を検出するためのサーミスタとを有している。
【０００５】
また、定着装置においては、画像形成時にトナーの飛散または紙屑の飛散などが発生する。これらの飛散物が赤外線吸収部材に付着すると、検出温度の正確性に悪影響を及ぼすこととなる。そこで、センサーの表面を清掃する清掃機構を設けたり、赤外線吸収フィルムの汚れを検知する機構を設けた非接触温度検出装置が提案されている。
【特許文献１】特開平７−２８６９１１
【特許文献２】特開２００３−９０７６３
【発明の開示】
【発明が解決しようとする課題】
【０００６】
画像形成装置の定着装置において、トナー画像の定着性能を高めるために、加熱ローラなどの表面温度を検出し、定着に適した温度に制御することはいうまでもなく必要である。加熱ローラなど被検知体の表面温度を正確に検出するためには、非接触温度検出装置にトナーなど汚れが付着した場合の影響を除去する必要があるが、このような汚れの影響を除去するためには別途清掃機構または検知機構を設ける必要があり、構成の複雑化と装置全体のコストアップをもたらすことになる。
【０００７】
本発明の目的は、部品数を増やすことなく、簡単な構成で汚れの付着を抑制可能な非接触温度検出装置を提供することである。
【課題を解決するための手段】
【０００８】
請求項１に係る定着装置の非接触温度検出装置は、加熱源を内蔵する加熱ローラと、加熱ローラに圧接する加圧ローラとを有する定着装置の非接触温度検出装置であって、非接触型の温度検出センサーと、熱吸収膜と、コーティング膜と、紫外線光源とを備えている。
【０００９】
ここで、非接触型の温度検出センサーは被検出体の温度を検出するためのものである。熱吸収膜は、被検出体からの熱を吸収して温度検出センサーに伝導するためのものである。コーティング膜は、熱吸収膜の表面に形成された光触媒機能を有する膜である。紫外線光源は、コーティング膜に紫外線を照射するためのものである。
【００１０】
定着装置においては、画像形成時にトナーの飛散または紙屑の飛散などが発生する。これらの飛散トナーまたは飛散紙屑などが非接触温度検出装置、特に熱吸収膜に付着した場合、正確な温度検出に悪影響を与えることとなる。
【００１１】
この装置では、熱吸収膜の表面に光触媒機能を有する材料でコーティング膜を形成させ、紫外線光源で熱吸収膜の表面に形成された光触媒機能を有するコーティング膜を照射する。ここで、光触媒機能を有する材料、例えば酸化チタン、チタン酸ストロンチウム、酸化亜鉛などの光触媒にバンドギャップ以上のエネルギーをもつ光（例えば、紫外線など）が照射されると、荷電子帯にある電子が伝導帯に励起され、荷電子帯に正孔が、伝導体に電子が生成する。その結果、荷電子帯側では酸化反応が、伝導体側では還元反応が起こりやすくなる。そして、この状態で有機物などが光触媒の表面に接触すると化学反応が起こり、OH−、O2、O2−、およびH2O2などの活性酸素が生成される。すると、その活性酸素は、光触媒の近傍に存在する種々の有機物を分解し、熱吸収部へのトナーなどの付着を抑制することができる。
【００１２】
したがって、この装置では部品数を増やすことなく、簡単な構成で非接触温度検出装置への汚れの付着を抑制することができ、装置全体のコストダウンを図ることができる。
請求項２に係る定着装置の非接触温度検出装置は、請求項１に記載の装置において、センサー保持部材と、駆動機構と、清掃パットを更に備えている。ここで、センサー保持部材は、温度検出センサーを保持するためのものである。駆動機構は、温度検出センサーが加熱ローラの表面温度を検出する検出位置と温度検出センサーの表面を清掃する清掃位置を取るようにセンサー保持部材を駆動するためのものである。清掃パットは、清掃位置に位置する温度検出センサーの表面を清掃するためのものである。
【００１３】
定着装置においては、画像形成時にトナーの飛散または紙屑の飛散などが発生する。これらの飛散物が非接触温度検出装置に付着すると、検出温度の正確性に悪影響を及ぼすこととなる。本発明では、熱吸収膜の表面に光触媒機能を有する材料でコーティング膜を形成させ、紫外線光源で熱吸収膜の表面に形成された光触媒機能を有するコーティング膜を照射することで、非接触温度検出装置近傍に存在する種々の有機物を分解し、熱吸収部へのトナーなどの付着を抑制することができる。しかし、長期間画像形成により、非接触温度検出装置の熱吸収部にトナー及び紙屑などの飛散物が付着することがある。
【００１４】
そこで、この装置では、温度検出センサーの位置を、ローラの表面温度を検出するための温度検出位置以外の清掃位置をも取り得るように構成されるとともに、非接触型の温度検出センサーが清掃位置に移動させられた際に、清掃パッドによりその表面が清掃されるようになっている。
【００１５】
ここでは、非接触型の温度検出センサーを清掃位置に移動させることによってその表面が清掃されるので、特にメンテナンスをすることなく長期にわたって正確な温度検出をすることができる。
【００１６】
請求項３に係る定着装置の非接触温度検出装置は、請求項２に記載の装置において、駆動機構は、回転軸の端部に固定されたギアと、ギアを回転させるためのステッピングモータを有している。
【００１７】
この装置では、ステッピングモータによりギアが回転され、このギアの回転によって非接触型の温度検出センサーが取り付けられた回転軸が回転し、温度検出位置から清掃位置に変更することができる。
【００１８】
請求項４に係る定着装置の非接触温度検出装置は、請求項１又は２の装置において、非接触型の温度検出センサーは赤外線感温センサーであり、熱吸収膜は赤外線吸収膜である。この装置では、赤外線吸収膜により被検知体からの赤外線を吸収し、赤外線感温センサーにより、非接触で被検出体の表面温度を測定することができる。
【００１９】
請求項５に係る定着装置の非接触温度検出装置は、請求項１から４の装置において、光触媒機能を有する材料は酸化チタンである。この装置では、酸化チタン材を熱吸収膜の表面にコーティングすることにより簡単な構造で光触媒の機能を実現することができる。
【００２０】
請求項６に係る定着装置の非接触温度検出装置は、請求項１に記載の装置において、紫外線光源は紫外線発光ダイオード（ＬＥＤ）である。
この装置では、紫外線光源として紫外線発光ダイオードを採用することにより、紫外線ランプなどを採用するより、構造の小型化を実現すると同時に、消費電力の減少及び環境負荷を低減することができる。
【００２１】
請求項７に係る定着装置の非接触温度検出装置は、加熱源を内蔵する加熱ローラと、加熱ローラに圧接する加圧ローラとを有する定着装置の非接触温度検出装置であって、収納ケースと、非接触型の温度検出センサーと、熱吸収膜と、コーティング膜と、紫外線光源とを備えている。
【００２２】
ここで、収納ケースは透過窓を有しており、非接触型の温度検出センサーはケースに収納されている。熱吸収膜は、収納ケースの透過窓の内側に設けられ、被検出体からの熱を吸収してサーミスタに伝導するためのものである。コーティング膜は、収納ケースの少なくとも透過窓部に形成された光触媒機能を有する膜である。紫外線光源は、コーティング膜に紫外線を照射するためのものである。
【００２３】
定着装置においては、画像形成時にトナーの飛散または紙屑の飛散などが発生する。これらの飛散トナーまたは飛散紙屑などが非接触温度検出装置の収納ケースの表面、特に透過窓に付着した場合、熱吸収膜が透過窓の内側に設けられているため、正確な温度検出に悪影響を与えることとなる。
【００２４】
この装置では、収納ケースの少なくとも透過窓に光触媒機能を有する材料でコーティング膜を形成させ、紫外線光源で熱吸収膜の表面に形成された光触媒機能を有するコーティング膜を照射する。ここで、光触媒機能を有する材料、例えば酸化チタン、チタン酸ストロンチウム、酸化亜鉛などの光触媒にバンドギャップ以上のエネルギーをもつ光（例えば、紫外線など）が照射されると、荷電子帯にある電子が伝導帯に励起され、荷電子帯に正孔が、伝導体に電子が生成する。その結果、荷電子帯側では酸化反応が、伝導体側では還元反応が起こりやすくなる。そして、この状態で有機物などが光触媒の表面に接触すると化学反応が起こり、OH−、O2、O2−、およびH2O2などの活性酸素が生成される。すると、その活性酸素は、光触媒の近傍に存在する種々の有機物を分解し、透過窓部に付着したトナーなどを除去することができる。
【００２５】
したがって、この装置では部品数を増やすことなく、簡単な構成で非接触温度検出装置への汚れの付着を抑制することができ、被検出体の温度を正確に検出することができる。
【発明の効果】
【００２６】
本発明では、非接触温度検出装置の熱吸収膜などに形成された光触媒機能を有するコーティング膜に紫外線を照射することにより、このコーティング膜への汚れの付着を抑制することができ、被検出体の温度を正確に検出することができる。
【発明を実施するための最良の形態】
【００２７】
図１は、本発明の一実施形態が採用された画像形成装置の全体の断面図である。ほぼ直方体形状を有するカラー画像形成装置１のほぼ中央にａ−Ｓｉ系感光体を用いた感光体ドラム２が配設されている。感光体ドラム２の周囲には、帯電装置３、イエロー現像装置４、マゼンタ現像装置５、シアン現像装置６、ブラック現像装置７、中間転写体８、及びクリーニング装置９が配置されている。イエロー現像装置４、マゼンタ現像装置５、シアン現像装置６は、それぞれイエロートナーカートリッジ１０、マゼンタトナーカートリッジ１１、シアントナーカートリッジ１２を有している。中間転写体８の上方位置には、ブラック現像装置７のブラックトナーカートリッジ１３が配設されている。ブラックトナーカートリッジ１３の上方には露光装置１４が配設されている。中間転写体８の下方位置には二次転写ローラ１５が配設され、二次転写ローラ１５の用紙搬送方向下流側には、分離装置１６、搬送ベルト１７、定着装置１８が配設されている。装置１の左上方には排出装置４０が配設されている。
【００２８】
感光体ドラム２は、表面に静電潜像が形成されるものである。帯電装置３は、感光体ドラム２の上方に設置されており、感光体ドラム２の表面を一様に帯電させるための装置である。露光装置１４は、図示しない画像データ入力部からのデータに基づいて、感光体ドラム２上に静電潜像を形成させるための装置である。現像装置４，５，６，７は、静電潜像が形成された感光体ドラム２表面にトナーを供給してトナー像を形成させる装置であって、それぞれイエロー、マゼンタ、シアン、ブラックに対応して設けられている。トナーカートリッジ１０，１１，１２，１３は、同じくイエロー、マゼンタ、シアン、ブラックのトナーを供給するものある。中間転写体８は、感光体ドラム２に形成されたトナー像が転写され一時的に保持される転写体の役割を果たしている。転写装置１５は、中間転写体８上のトナー像を用紙に転写するための装置である。分離装置１６は、トナー画像の転写された用紙を中間転写体８から分離するためのものである。搬送ベルト１７は、トナー画像が転写された用紙を定着装置に搬送するためのものである。定着装置１８は、加熱・加圧によってトナー画像を溶解定着させ、転写材にトナー画像を定着させるためのものである。クリーニング装置９は、感光体ドラム２に残留した残留現像剤などの付着物をクリーニングするための装置である。
【００２９】
ここで、定着装置１８は、図２に示すように、加熱源（例えばヒーター）を内蔵している加熱ローラ２１と、加熱ローラ２１と図２のＹ軸上下方向で圧接するように設けられた加圧ローラ２２と、加熱ローラ２１及び加圧ローラ２２の表面温度を両ローラ２１，２２に対して非接触で検出する非接触温度検出装置２３と、紫外線ダイオード２７とを有している。
【００３０】
非接触温度検出装置２３は、図２に示すように、図２のＹ軸方向において加熱ローラ２１の中心回転軸とほぼ同じ位置で、かつ用紙搬送方向の上流側に配置されている。この非接触温度検出装置２３は、温度検出センサー２４と、温度検出センサー２４を保持する回転軸２５とを有している。
【００３１】
温度検出センサー２４は、図４（ａ）に示すように、赤外線感温式のサーミスタ２４ａと、サーミスタ２４ａの周囲を覆って設けられた透明なケーシング２４ｂと、ケーシング２４ｂの外表面においてサーミスタ２４ａに赤外線が入射してくる部分に設けられた赤外線吸収フィルム２４ｃと、赤外線吸収フィルム２４ｃの表面に形成され光触媒機能を有する酸化チタンのコーティング膜２４ｄとを有している。
【００３２】
また、非接触温度検出装置２３の上方には、清掃パッド２６が配置されており、後述するように、温度検出センサー２４が清掃位置に位置させられた際にコーティング膜２４ｄの表面がこの清掃パッド２６に摺接するようになっている。なお、清掃パッド２６は保持プレート２６ａに保持されている。
【００３３】
駆動機構３０は、図３（ａ）及び（ｂ）に示すように、回転軸２５の端部に回転軸２５に対して回転不能に固定された扇型ギア３１と、この扇形ギア３１を回転駆動するためのステッピングモータ３２とを有している。なお、図３では、温度検出センサー２４を模式的に示している。
【００３４】
扇型ギア３１はほぼ９０°の角度範囲に亘って歯が設けられているが、この扇形ギアに代えて通常の円形のギアを用いてもよい。ステッピングモータ３２は、装置奥側のフレーム３５のさらに奥側に設けられており、モータ軸３３の先端には、扇形ギア３１に噛み合うピニオンギア３３ａが一体で形成されている。
【００３５】
以上のような構成により、ステッピングモータ３２を正逆回転させて、温度検出センサー２４を、加熱ローラ２１の表面温度を検出する温度検出位置（図３のｄ１方向を向く位置）と、清掃パッド２６を向く位置（図３のｄ２方向を向く位置）との間で移動させることが可能である。
【００３６】
次に、画像形成の動作について説明する。まず、帯電装置３によって感光体ドラム２に帯電が行われた後、露光装置１４によって画像データに基づいた露光が行われ、感光体ドラム２上に静電潜像が形成される。感光体ドラム２が回転して最初色であるイエロー現像装置４の現像位置に達すると、イエローに対応した静電潜像が現像装置４でトナー画像化され、感光体ドラム２表面にイエローに対応したトナー画像が形成される。このような動作が他の色（マゼンタ、シアン、ブラック）に関しても行われる。感光体ドラム２の表面上に形成された各色のトナー像は順次中間転写体８に転写されることによって、中間転写体８上にフルカラーのトナー像が形成される。その後、転写装置１５に印加された転写バイアスにより、図示しない給紙部から転写位置まで搬送された転写材１９にフルカラーのトナー像が転写される。フルカラーのトナー像が転写された転写材は分離装置１６によって中間転写体８から分離され、搬送ベルト１７によって定着装置１８に搬送される。さらに転写材１９に転写されたフルカラーのトナー像は、定着装置１８による加熱・加圧によって転写材に定着され、転写材は排紙部４０に排出される。
【００３７】
このような画像形成過程において、形成された画像の品質を保証するためには、非接触温度検出装置２３により定着装置の少なくとも加熱ローラ２１の表面温度が測定されている。具体的には、加熱ローラ２１からの赤外線が赤外線吸収フィルム２４ｃに吸収され、赤外線吸収フィルム２４ｃの温度が赤外線量に応じて上昇する。そして赤外線吸収フィルム２４ｃの温度は透明なケーシング２４ｂを介して赤外線感温式の非接触型の温度検出センサー２４ａに伝導され、サーミスタ２４ａの抵抗が変化し、図示しない電気回路を通じて被検出体の温度が測定される。
【００３８】
ここで、画像形成時に定着装置１８においてはトナーの飛散または紙屑の飛散などが発生する。これらの飛散トナーまたは飛散紙屑などが非接触温度検出装置２３の赤外線吸収フィルム２４ｃに付着した場合、正確な温度検出に悪影響を与えることとなる。
【００３９】
そこで、この装置では、赤外線吸収フィルム２４ｃの表面に光触媒機能を有する酸化チタンのコーティング膜２４ｄを形成している。ここで、酸化チタンのコーティング膜２４ｄに紫外線ダイオード２７から発せられた紫外線が照射されると、荷電子帯にある電子が伝導帯に励起され、荷電子帯に正孔が、伝導体に電子が生成する。その結果、荷電子帯側では酸化反応が、伝導体側では還元反応が起こりやすくなる。そして、この状態で有機物などが光触媒の表面に接触すると化学反応が起こり、OH−、O2、O2−、およびH2O2などの活性酸素が生成される。その活性酸素は、コーティング膜２４ｄへのトナーなどの付着を抑制し、正確な温度検出が可能となる。なお、紫外線ダイオード２７から発せられた紫外線による温度制御への影響が懸念される場合、温度測定及び制御中は紫外線ダイオード２７の発光を止めてもよい。
【００４０】
次に、温度検出センサー２４の清掃を行う場合の動作を説明する。この清掃を行うための非接触温度検出装置２３の動作は以下の通りである。すなわち、ステッピングモータ３２が反時計方向に回転し、ステッピングモータ３２のモータ軸３３も反時計方向に回転する。扇型ギア３１はモータ軸３３の先端に設けられているピニオンギア３３ａに噛み合わせているため、モータ軸３３が反時計方向に回転すると扇型ギア３１は時計方向に回転する。また、扇型ギア３１は温度検出センサー２４の回転軸２５に固定して設けられているため、扇型ギア３１が回転すると回転軸２５も回転するようになっている。したがって、扇型ギア３１が時計方向に回転すると、回転軸２５に取り付けられている赤外線温度検出センサー２４も温度検出位置から清掃位置に向きを変え、清掃パッド２６の清掃部材と当接するｄ３方向を向く位置に回転される。その際、清掃パッド２６により赤外線温度検出センサー２４の表面のコーティング膜２４ｄの清掃を行う。その後、ステッピングモータ３２を時計方向に回転させ、赤外線温度検出センサー２４を反時計方向に回転させて加熱ローラ２１の表面温度を検出する温度検出位置に位置させる。汚れの程度によって、このような動作を繰り返すことができる。ただし、清掃終了後は、赤外線温度検出センサー２４の向きを加熱ローラ２１の表面温度を検出する検出位置に回転させる。
【００４１】
［本実施形態の効果］
本実施形態では、非接触温度検出装置２３の赤外線吸収フィルム２４ｃに形成された酸化チタンのコーティング膜２４ｄに紫外線ダイオード２７から発せられた紫外線が照射し、光触媒機能によりコーティング膜２４ｄに付着したトナーなどを除去する。したがって、簡単な構造で非接触温度検出装置２３へのトナーの付着を抑制することができ、非接触温度検出装置２３の温度検出の正確性を高めることができる。
【００４２】
また、駆動機構３０により、温度検出センサー２４を清掃パッド２６と接触する位置に移動させることにより温度検出センサー２４の表面を清掃することができる。
［その他の実施形態］
上記の実施形態において、非接触温度検出装置２３は、赤外線感温式の非接触型の温度検出センサー２４ａと、サーミスタ２４ａの周囲を覆って設けられた透明なケーシング２４ｂと、ケーシング２４ｂの外表面においてサーミスタ２４ａに赤外線が入射してくる部分に設けられた赤外線吸収フィルム２４ｃと、赤外線吸収フィルム２４ｃの表面に光触媒機能を有する酸化チタンのコーティング膜２４ｄとを有しているが、他の実施形態として、図４（ｂ）に示すように、透明なケーシング３４ｂのサーミスタ３４ａとの間に赤外線吸収フィルム３４ｃを設け、透明ケーシング３４ｂの外表面において少なくとも赤外線吸収フィルム３４ｃが設けられた部分に光触媒機能を有する酸化チタンのコーティング膜３４ｄを設けてもよい。この実施例において、温度測定の際、加熱ローラ２１からの赤外線が透明なケーシング３４ｂを介して赤外線吸収フィルム３４ｃに吸収され、赤外線吸収フィルム３４ｃの温度が赤外線量に応じて上昇する。そして赤外線吸収フィルム３４ｃの温度は赤外線感温式の非接触型の温度検出センサー３４ａに伝導され、サーミスタ３４ａの抵抗が変化し、図示しない電気回路を通じて被検出体の温度を測定することができる。画像形成動作及び光触媒による汚れ除去動作は第１実施例と同じである。
【図面の簡単な説明】
【００４３】
【図１】画像形成装置の略図。
【図２】定着装置の拡大図。
【図３】温度検出装置の略図。
【図４】他の実施形態の温度検出装置の略図。
【符号の説明】
【００４４】
１  カラー画像形成装置
２  感光体ドラム
１８  定着装置
２１  加熱ローラ
２２  加圧ローラ
２３  非接触温度検出装置
２４  温度検出センサー
２４ａ，３４ａ  サーミスタ
２４ｂ，３４ｂ  ケーシング
２４ｃ，３４ｃ  赤外線吸収フィルム
２４ｄ，３４ｄ  コーティング膜
２５  センサー保持部材
２６  清掃パット
２７  紫外線ダイオード
【図１】
2006098067.tif 000003
【図２】
2006098067.tif 000004
【図３】
2006098067.tif 000005
【図４】
2006098067.tif 000006